(57)【要約】  サラダとサラダドレッシングを収納するのに適した複数の収納部をもつ食品容器であって、食品収納部（６）と食用ドレッシング収納部（７）を備え、前記収納部は、前記容器を振ることで、前記食用ドレッシング収納部に収納されたサラダドレッシングを前記食品収納部に納められた食品と混じり合うのに適している連通手段（９）によって結合しているもの。【選択図】図２
2007537957.tif 000002
【特許請求の範囲】
【請求項１】
サラダとサラダドレッシングを収納するのに適した複数の収納部をもつ食品容器であって、以下の構成を備えるもの；
食品収納部；
食用ドレッシング収納部；
前記収納部は、前記容器を振ることで、前記食用ドレッシング収納部に収納されたサラダドレッシングを前記食品収納部に納められた食品と混じり合うのに適している連通手段によって結合しているもの。
【請求項２】
前記食品収納部と食用ドレッシング収納部には、粗補係合手段が設けられていて、前記収納部両者は、互いに着脱自由に係合されて前記複数の収納部をもつ容器を形成する請求項１に請求された容器。
【請求項３】
前記連通手段は、ノズルまたは開口をもつ仕切り（前記収納部を分けるもの）を備える請求項１または請求項２に請求された容器。
【請求項４】
前記容器には、蓋が設けられ、この蓋と前記容器には、相補係合手段が設けられていて、ドレッシンが実質的に漏れない態様で前記蓋が前記容器に着脱自由に係合している前記請求項のいずれか一つによる容器。
【請求項５】
前記食品収納部は、マイクロッポーラスなフィルムでシールされている前記請求項のいずれか一つによる容器。
【請求項６】
前記食用ドレッシング収納部は、前記容器の長さ方向軸と実質的に同心で、前記食品収納部の下位に位置する前記請求項のいずれか一つによる容器。
【請求項７】
中央部が盛り上がっている仕切りがあり、前記ノズルがその仕切りの中心に実質的に位置している前記請求項のいずれか一つによる容器。
【請求項８】
前記ノズルの口は、前記ドレッシング収納部内にあるドレッシングの流れをある程度コントロールしながら抑えることができるサイズをもつ前記請求項のいずれか一つによる容器。
【請求項９】
前記食用ドレッシング収納部は、それに入れられた内容物に応じての他の食用ドレッシング収納部と識別できるようになっている前記請求項のいずれか一つによる容器。
【請求項１０】
前記容器の食品収納部には、食肉類、サラダ、チップスおよび飲料からなるグループから選ばれた食品を適宜選択したもの、または、それらを組み合わせたものが入れられる前記請求項のいずれか一つによる容器。
【請求項１１】
前記容器の食用ドレッシング収納部には、サラダ、シーズニング、ビネガー、タルタルソースおよびビタミン類から選ばれたドレッシング類を適宜選択したもの、または、それらを組み合わせたものが入れられる前記請求項のいずれか一つによる容器。
【請求項１２】
食用ドレッシング収納部と蓋とを受けるのに適している請求項１に請求された食品収納部。
【請求項１３】
食品収納部を受けるのに適している請求項１に請求された食用ドレッシング収納部。
【請求項１４】
食用ドレッシング収納部は、アウトセットから一体ものとして形成されている請求項１３に請求された食用ドレッシング収納部。
【請求項１５】
食用ドレッシング収納部は、ドレッシングを含む請求項１３または請求項１４に請求された食用ドレッシング収納部。
【発明の詳細な説明】
【技術分野】
【０００１】
発明の技術分野
発明の分野
この発明は、複数の素材を別々に納める複数の収納部をもつ食品容器に関する。さらに詳しくは、そして限定しないが、この発明は、サラダおよびサラダドレッシングを別々に納める複数の収納部をもつ容器に関するものである。
【０００２】
［出願人が知る背景技術］
例えばサラダといったなんらかの食品は、最適な状態で需要者に供給されるべきものとすれば、サラダを実質的に密閉の容器に保存して湿気を失ってサラダが萎えてしまわないようにしなければならない。さらに、サラダに使われるドレッシングは、どのようなものでもサラダを食べる直前にサラダにかけないと、サラダがくたくたになってしまう。
【０００３】
したがって、一般的には、サラダ類は、ドレッシングを混ぜに密閉容器に入れて売られている。殆ど多くの場合、ドレッシングは、前記密閉容器内でゆるやかに入れられている小袋または入れ物に納められており、このような場合では、需要者は、ドレッシングの選択ができない。さもなければ、前記小袋または入れ物は、別個になっている。
【０００４】
ドレッシングを同じ容器内に入れておく危険性は、ドレッシングが包装体からサラダ側へもれることである。場合によっては、ドレッシングの包装体は、前記容器の密閉構造を邪魔したり、破損させたりして、湿気が逃げてしまう場合がある。
【０００５】
さらに、従来技術の容器には、ドレッシングの個々の包装体をまず開き、ついでサラダにかけるようにしている。この構成は、きたならしく、ドレッシングの包装体を捨てなければならない。通常混ぜ合わせは、サラダをフォークでかき回すが、これは、サラダとドレッシングを混ぜるには理想的なものではない。かきまわしは、面倒であり、サラダの一部が容器からこぼれおちてしまうことがしばしばおきる。
【０００６】
最後ではあるが、最近では、”ドライブ・スルー”ファーストフッドの普及で、所謂“ダッシュボード・ダイニング”−自動車のハンドルに手をかけながら食べることがよくみられる。あまり勧められたことではないが、多くのダシュボード・ダイニングする人達は、一方の手でサラダドレッシングの小袋を開き、他方の手で自動車の運転をする。常のことではあるが、他の道路使用者に対して危険であっても、このようなことをやってみたい人々がいて、この結果、これを容認する場合、ファーストフッドの店で現在使用されている例えばサラダとドレッシングの全体の流行を調べたり、これら品目の包装体が改良できないか否かを考えることがよい。
【０００７】
必要なことは、サラダとドレッシングを別個に支手確実に納め、食べるときにサラダが最適な状態になっていることができる容器である。さらに加えて、サラダとドレッシングは、簡単に、そして完全に混ぜることができる容器が有利である。
【０００８】
さらに加えて、サラダとドレッシングを別個にいれておく仕切り部を交換でき、これによって、サラダの消費者と売手側が望ましいサラダに、これまた望ましいドレッシングをマッチさせることができる容器であることが望ましい。
【０００９】
［目  的］
この発明の目的は、食品（代表的には、サラダ［ポテトサラダ，野菜サラダ，ウオルドーフサラダ］またはチップスまたは肉類）とドレッシング（代表的には、サラダドレッシング，ビネガー，ミントソース）を別々に、または、少なくとも人々に便利なように納めることができる改良された複数の収納部をもつ容器を提供することである。この発明は、いくつかの異なるアスペクツの点で構成されているが、この広範なバックグラウンドレビュウから明らかなことは、これらアスペクツそれぞれは、つながれていて、同じ広範なコンセプトの部分を形成する点である。
【００１０】
［発明のステートメント］
一つのアスペクトにおいては、この発明は、広く言えば、サラダとドレッシングを納める複数の収納部をもつ食品容器の構成と言えるものであって、該容器の構成は以下のものである：
食品収納部；および
食用ドレッシング収納部；
この構成において、前記収納部は、連通手段により連通していて、前記容器を振ることで、食用ドレッシング収納部に収納されている食品と食品収納部に納められている食品とが混ぜ合わされるようになっているものである。
【００１１】
このような構成は、前記組成物が早まって混ぜ合わされてしまう問題をなくし、片手だけで十分に前記組成物をよりよく混ぜ合わせることができる。
【００１２】
複数の収納部をもつ前記容器は、一体に形成されているか、または、異着脱自由の蓋と組み合わされており、さらに／または、前記食品収納部を前記食用ドレッシング収納部にのり付けできるようになっている。実際に、当業者であれば、多くの異なる手段で、食品収納部を食用ドレッシング収納部に着脱自由に取り付けることができる点（例えば、ねじ合わせ構造を用いる）を理解できる。
【００１３】
食品収納部と食用ドレッシング収納部には、相補係合手段が設けられていて、これによって両収納部が互いに取り外し自由に係合され、複数の収納部をもつ容器を形成するようになっていることが好ましい。
【００１４】
前記連通手段は、ノズルまたは前記食品収納部の底部の開口形成部でよい。同様に、前記連通手段は、ノズルまたは前記食用ドレッシングの頂部または壁の開口形成部でよい。実際には、前記食品収納部は、開口（はぎ取ったり／孔を開けたりできる弱くされている部分または取り除くことができるタブ）をもち、食用ドレッシング収納部ノズルつきの頂部または壁をもち、このノズルは、食品収納部の底部の開口に通すか、前記弱くされている部分をあけて通せるようにするようになっている。
【００１５】
前記底部、頂部または壁は、結合されているか、または、それら自体が前記収納部を分ける仕切りとなる。
【００１６】
好ましくは、前記連通手段は、ノズルまたは開口をもつ仕切り（前記収納部を分ける）を構成している。前記ノズルにおける開口の直径は、どの寸法でもよく、ドレッシングの粘度による。
【００１７】
前記ノズルは、取り外しできるキャップをもち、これは、食品収納部と食用ドレッシング収納部とを係合させる前に外される。
【００１８】
好ましくは、前記容器は、蓋つきであって、この蓋と容器には、実質的に液密の状態で前記蓋を前記容器に取り外し可能に取り付けるのに適している相補係合手段が設けられている。
【００１９】
食品収納部の基部は、該収納部の他の部分と一体であって、したがって、実質的にしっかりしたものになっている。また別途には、しっかりした基部をなくし、単純にフレキシブルの微細孔が多数あるフィルムを前記収納部の基部に広げて床部にしてもよい。
【００２０】
好ましくは、食品収納部は、微細孔が多数あるフィルムでシールされる。
【００２１】
食用ドレッシング収納部は、前記容器の実質的に長さ方向軸と同心で、前記食品収納部の下位に位置することが好ましい。
【００２２】
前記仕切りは、平らなものか、または、下方へたれているものであるが、前記仕切りは、中央が高く持ち上がり、ノズルがこの仕切りの中央に実質的に位置するようになっていることが好ましい。
【００２３】
ラベル貼りシステムを用いて、食用ドレッシング収納部の異なるものを指示するようにできる。例えば、異なるシンボルまたは色彩を用いて、サラダの種類などの異なる食品と色々異なるドレッシングが確認できるようにする。食品収納部の大きさは、納められているドレッシングの性状によりきまる。ドレッシングは、液体又は液体状のもの（例えば、サラダドレッシング）又は固形（例えば、塩のような調味料）でよい。
【００２４】
好ましくは、前記容器の食品収納部には、適当に選択されたもの、または、食肉類、サラダ、チップスおよび飲料からなるグループから選ばれる食品が納められる。
【００２５】
好ましくは、前記容器の食用ドレッシング収納部には、適当に選択されたもの、または、サラダ、シーズニング、ビネガー、タルタルソースおよびビタミン類からなるグループから選ばれるレッシング類の組合せが納められる。
【００２６】
この発明は、ここに特定した容器を組み込んだ食品小売り卸もその範囲に含む。
【００２７】
この発明の第２のアスペクトによれば、食用ドレッシング収納部と、ここに特定された蓋を受けるのに適したここに特定された食品収納部が提供される。
【００２８】
この発明の第３のアスペクトによれば、ここに特定の食品収納部と一緒に使用する、ここに特定の食用ドレッシング収納部が提供される。
【００２９】
前記食用ドレッシング収納部は、ドレッシングが入れられる本体と、食用ドレッシング収納部の頂部に溶着されたり、また別途取り付けられたりすることができる蓋とから形成できるが、前記食用ドレッシング収納部は、最初から一体ものとして形成されることが好ましい。このようにして、前記ドレッシングは、前記収納部の頂部にあけた開口を介して注入されたり、圧入されたりして食用ドレッシング収納部へ供給される。
【００３０】
好ましくは、前記収納部は、ドレッシングを納めている。
【００３１】
この発明の好ましい実施例を添付の図面を参照しての例をとって詳しく記載する。
【００３２】
［好ましい実施例の記述］
図面を参照すると、該図面においては、二つの実施例全体にわたり同じ符号が相当するパーツを指すようになっている。
【実施例１】
【００３３】
図１，２を参照すると、（５）としてある長くなっている柱状のプラスチック容器が見られるもので、組み立てられると、（上から下へ）蓋（１０）、サラダ収納部（６）および仕切り（９）で仕切られた筒状のサラダドレッシング収納部（７）から構成され、前記仕切りは、サラダドレッシング収納部（７）の頂部を形成するようになっている。前記サラダ収納部（６）の本体は、通常の使用態様における頂部に向かって外側へ張り出している。仕切り（９）の周縁部は、サラダドレッシング収納部（７）へドレッシングが充填された後、押し込み構成でサラダドレッシング収納部（７）の頂部にはまりこむようになっている。
【００３４】
この実施例における仕切り（９）は、その中央が隆起していて、ノズル（８）が形成されるようになっている。前記容器を逆さにしたとき、前記サラダ収納部へドレッシングが集められ、サラダ収納部へ注ぎこまれやすいように、前記仕切りは、カーブしていることが望ましい。ノズル（８）の開口の直径は、容器（５）が例えばたまたま横倒しになったような場合、サラダ収納部（６）内へドレッシングがどっと流れ込まないような寸法になっている。これによって、漏れを防ぐようになっている。
【００３５】
容器（５）は、蓋（１０）を有し、この蓋は、容器（５）のサラダ収納部（６）にぴったり固定されるようになっている。
【００３６】
仕切り（９）つきドレッシング収納部（７）は、容器（５）に押し込まれて連結されるようになっている。連結されれば、サラダを前記容器内に添加できるようになる。消費者が容器（５）内に納められているサラダを食べようとするとき、彼／彼女は、蓋がされた容器（５）を逆さにするか、または、振るかして容器（５）内に納められたドレッシングをサラダ全体にくまなく混ぜ合わせることができる。
【００３７】
このような作用、例えば逆さにすることで、ドレッシングは、重力によりドレッシング収納部（７）からノズル（８）を経てサラダ収納部（６）へ放出されることになる。容器（５）を振れば、前記サラダ収納部（６）へのドレッシングの流れがよくなり、サラダとドレッシングを完全に，混ぜあわせることができる。蓋（１０）は、サラダとドレッシングが容器（５）から抜け出ないようになっている。
【００３８】
サラダドレッシング収納部（７）の着色が前記容器（５）の他の部分の着色と異なるようになっていて、正しいドレッシングがサラダに確実に供給されることが視認しやすいようになっている。
【実施例２】
【００３９】
この実施例（図示しない）では、サラダドレッシング収納部（６）は、一体に形成されたプラスチック素材の補助床部をその底部に含み、該底部は、丸い脆弱部を有し、この脆弱部は、同心でサラダドレッシング収納部（６）のノズルに合うようになっている。このことは、サラダを存在すべき前記ドレッシング収納部（７）（これは、実施例１においてサラダ収納部の床に形成されているもの）がなくても収納できることを意味する。
【００４０】
これは、サラダ収納部（６）とサラダドレッシング収納部（７）が互いに係合されているか否かに拘らず、サラダとドレッシングの両者が分離された収納部（６）と（７）に納められることを意味する。
【００４１】
サラダ収納部（６）の床は、サラダドレッシング収納部（７）の頂部と該サラダドレッシング収納部からのノズル（８）に係合するようになっている。ノズル（８）は、引き裂きできるキャップ（図示せず）をもち、このキャップは、前記サラダ収納部（６）とサラダドレッシング収納部（７）が連結される前に外されるようになっている。
【００４２】
したがって、二つの収納部（６，７）が係合されるとき、係合の際、前記ノズルが前記丸くなっている脆弱部を突き、これを破く。この点は、前記ドレッシング収納部（７）が小売りされるまで別個に貯蔵されている場合には、極めて衛生的であり、さらにまた望ましくない漏れを防ぐことができる。
【００４３】
この構成は、サラダとドレッシングが小売りされるまでそれぞれの収納部（６，７）に予め詰められている場合、特に有用である。消費者は、欲しいサラダと欲しいドレッシングの種類をそれぞれ別々に選ぶことがきる。サラダドレッシング収納部（７）の破けるキャップは、サラダを食べる直前に取り外すことができる。そして前記ドレッシング収納部（７）とサラダ収納部（６）を係合させなければならない。蓋（１０）もまたサラダ収納容器（５）にかぶせなければならない。
【００４４】
サラダドレッシング収納部（７）からのドレッシングは、ついで、容器を逆さにすればサラダ収納部（６）へ放出される。重力で、ドレッシングは、ノズル（８）を経てサラダ収納部（６）内へ放出される。前記容器を振ることで、ノズルを介しての前記サラダ収納部へのドレッシングの流れがよくなり、サラダとドレッシングとが完全に混じり合うようになる。
【００４５】
この発明は、サラダが食されるまでは、サラダとドレッシングを別々にして安全に貯蔵しておくようにするものである。この発明の構成は、ドレッシングがサラダへ漏れ出すことをなくしたり、防いだりするようにするものである。これによって、サラダは、新鮮さを保ち、ドレッシングの望ましくない漏れによって萎えた状態にならない。
【００４６】
この発明は、容器を逆さにするだけでドレッシングがサラダ内へ簡単に浸透できるようにするものである。続いて前記容器を振ることで、ユーザーは、ドレッシングを確実にサラダ全体にくまなく完全にゆきわらせることができる。この発明の容器は、また、サラダ収納部に対し簡単に換えることができるサラダドレッシング収納部によって、ユーザーが好みのサラダに好みのドレッシングを合わせることができるようにして選択の幅を広げることができる。
【００４７】
この明細書の記述と請求の範囲を通して、用語“備える”と、“備え”と“備えている”のような前記用語の変化は、別の添加体、収納部、完成体又は工程を排除するものではない。
【００４８】
いずれの実施例においても、ほとんどの場合、容器（５）は、１個使用のものである。
【図面の簡単な説明】
【００４９】
【図１】この発明の容器の斜視図。
【図２】図１に示した容器の側面図。
【符号の説明】
【００５０】
（６）  食品収納部
（７）  食用ドレッシング収納部
（８）  ノズル
（９）  連通手段
【図１】
2007537957.tif 000003
【図２】
2007537957.tif 000004
【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
サラダとサラダドレッシングを収納するのに適した複数の収納部をもつ食品容器であって、以下の構成を備えるもの；
食品収納部；
食用ドレッシング収納部；
前記収納部は、連通手段により作用的に連結していて、該手段は、仕切り（前記収納部を分けるもの）を備え、この仕切りには、ノズル又は中央部が盛り上がっている開口であって、実質的には、前記仕切りの中心に位置するものが組み込まれ、前記手段は、前記容器を振るか、または、逆さにすることで、前記食用ドレッシング収納部に収納されたサラダドレッシングを前記食品収納部に納められた食品と混じり合うのに適しており、前記食用ドレッシング収納部は、前記容器の長さ方向軸と同心で、前記食品収納部の下位に位置しているもの。
【請求項２】
前記食品収納部と食用ドレッシング収納部には、粗補係合手段が設けられていて、前記収納部両者は、互いに着脱自由に係合されて前記複数の収納部をもつ容器を形成する請求項１に請求された容器。
【請求項３】
前記容器には、蓋が設けられ、この蓋と前記容器には、相補係合手段が設けられていて、ドレッシンが実質的に漏れない態様で前記蓋が前記容器に着脱自由に係合している前記請求項のいずれか一つによる容器。
【請求項４】
前記食品収納部は、マイクロッポーラスなフィルムでシールされている前記請求項のいずれか一つによる容器。
【請求項５】
前記ノズルの口は、前記ドレッシング収納部内にあるドレッシングの流れをある程度コントロールしながら抑えることができるサイズをもつ前記請求項のいずれか一つによる容器。
【請求項６】
前記食用ドレッシング収納部は、それに入れられた内容物に応じての他の食用ドレッシング収納部と識別できるようになっている前記請求項のいずれか一つによる容器。
【請求項７】
前記容器の食品収納部には、食肉類、サラダ、チップスおよび飲料からなるグループから選ばれた食品を適宜選択したもの、または、それらを組み合わせたものが入れられる前記請求項のいずれか一つによる容器。
【請求項８】
前記容器の食用ドレッシング収納部には、サラダ、シーズニング、ビネガー、タルタルソースおよびビタミン類から選ばれたドレッシング類を適宜選択したもの、または、それらを組み合わせたものが入れられる前記請求項のいずれか一つによる容器。
【請求項９】
食用ドレッシング収納部と蓋とを受けるのに適している請求項１に請求された食品収納部。
【請求項１０】
食品収納部を受けるのに適している請求項１に請求された食用ドレッシング収納部。
【請求項１１】
食用ドレッシング収納部は、アウトセットから一体ものとして形成されている請求項１３に請求された食用ドレッシング収納部。
【請求項１２】
食用ドレッシング収納部は、ドレッシングを含む請求項１０または請求項１１に請求された食用ドレッシング収納部。
【国際調査報告】
2007537957.tif 000005
2007537957.tif 000006
2007537957.tif 000007